(57)【要約】【課題】屋根に上らなくとも雪下ろしが出来る安全で安価な装置で、工事費、維持費の掛からないものの開発が必須である。また装置、システムが設置されることにより新たな制約条件がなるべく発生しなく、美的概観が大きく損なわれないような工夫が望まれる。【解決手段】平行するパイプ、又はワイヤロープにそれぞれにパイプ、又はワイヤロープが貫通するリング状物体Ｒａ、Ｒｃが嵌められており、リング状物体Ｒａには、パイプＡ、又はワイヤロープＡに沿ってお互い反対方向の２方向にワイヤロープＷａｕ、Ｗａｄが繋がれており、更にもう一つワイヤロープ、棒、板、あるいはシート状の長尺物Ｗａｃも繋がれている。リング状物体Ｒｃにも、パイプＣ、又はワイヤロープＣに沿ってお互い反対方向の２方向にワイヤロープＷｃｕ、Ｗｃｄが繋がれており、リング状物体Ｒａから出ているワイヤロープ、棒、板、あるいはシート状の物Ｗａｃも繋がれ、それぞれのパイプ、又はワイヤロープに沿った同じ方向のワイヤロープを人力、又はモータで引くことによりＷａｃが積雪を切り崩す雪下ろし装置。【選択図】図２
2014047620.tif 000002
【特許請求の範囲】
【請求項１】
平行するパイプＡとパイプＣを有す４角形のパイプ組立において、平行するパイプはそれぞれにパイプが貫通するリング状物体Ｒａ、Ｒｃが嵌められており、リング状物体Ｒａには、パイプＡに沿ってお互い反対方向の２方向にワイヤロープＷａｕ、Ｗａｄが繋がれており、更にもう一つワイヤロープ、棒、板、あるいはシート状の物Ｗａｃも繋がれており、リング状物体Ｒｃには、パイプＣに沿ってお互い反対方向の２方向にワイヤロープＷｃｕ、Ｗｃｄが繋がれており、リング状物体Ｒａから出ているワイヤロープ、棒、板、あるいはシート状の物Ｗａｃも繋がれている構成の装置が積雪した傾斜屋根面上に置かれ、ＷａｕとＷｃｕが平行して同時に、又はＷａｄとＷｃｄが平行して同時に人力、又はモーター動力で引っ張られる事によりワイヤロープ、棒、板、あるいはシート状の物Ｗａｃが積雪を切り崩す、あるいは払い落とす雪下ろし装置
【請求項２】
少なくとも１本がパイプＡで構成されパイプＡの両端がジョイントで繋がれた３角形、又は４角形のパイプ組立においてパイプＡにはパイプＡが貫通しているリング状物体Ｒａが嵌められており、リング状物体Ｒａには、パイプＡに沿ってお互い反対方向の２方向にワイヤロープＷａｕ、Ｗａｄが繋がれており、さらにもう一つワイヤロープ、棒、板、あるいはシート状の物Ｗａｃも繋がれており、Ｗａｃが棒、板、あるいはシート状の物の場合はワイヤロープに繋がれ、そのワイヤロープがパイプＡ以外のパイプＣを貫通させているリング状物体Ｒｃが存在する時はＲｃの中を貫通した後に、ワイヤロープの先に錘、又は巻き取り装置に繋ぐ事によりＷａｃに張力をかけられ、Ｒｃが無い時は滑車、又はサポータを滑らせたのちワイヤロープの先に錘、又は巻き取り装置に繋がれＷａｃに張力をかけられた装置が積雪した傾斜屋根面上に置かれ、Ｗａｕ、あるいはＷａｄを引っ張ることにより積雪をＷａｃで切り崩す、又は払い落とす構造の雪下ろし装置。
【発明の詳細な説明】
【技術分野】
【０００１】本発明は雪下ろし装置に関するものであり、屋根上に溜まった雪を下ろすに当たり作業者が屋根の上に上がらなくて安全に雪が下ろせる事が出来る装置に関するものである。
【従来技術】
【０００２】雪下ろしの従来からの方法は作業者が屋根の上に上がりスコップや、作業者の作業効率を高めたなるべく多くの雪をすべり落とし易く工夫された両手掴める取っ手付きの幅広いスコップのようなもの等は各種工夫されているが、作業者が屋根の上に上がって道具を使用する雪下ろしがほとんどであるが、所によってはショベルカーで雪を下ろすこともある。
従来の技術では費用が掛かる事、作業者の滑落危険性等の問題が多いため、問題解決の目的で各種工夫された雪下ろしの方法としては熱エネルギー的方法と機械的方法と大きく２つに分けられる。
本発明は機械的方法であるため、機械的方法の従来の先行技術文献の方法では不十分である例として下記特許文献１の例に見られるように、装置部品作成にコストがかかること、屋根の上への設置工事に費用が掛かる、雪下ろし稼働中に屋根から装置が落下する危険性が考えられる等各種問題があり、実用化されている先行技術文献にある方法は殆ど無い。
【特許文献１】特願２００９−２３３６４７
【発明の開示】
【発明が解決しようとする課題】
【０００３】現状一般に行われている雪下ろしの方法は作業者が屋根に上って雪下ろしをするのであるが毎年多くの死亡事故が発生しているため、事故発生撲滅が急務である。そのためには作業者が屋根に登らなくとも雪下ろしが出来る安全な装置、システムの開発が必要となる。
雪下ろしは生産活動で無く、コストを掛けたくない作業であり、雪下ろしの装置、システムを新しく考案するにしても製作費、維持費の掛からないものの開発が必須である。雪下ろし装置、システムが設置される事により新たな制約条件がなるべく発生しなく、美的外観の大きく損なわれない工夫が望まれる。
【課題を解決する為の手段】
【０００４】前述の請求項１に記したように、一組の平行するパイプＡとパイプＣを有す４角形のパイプ組立において、平行するパイプはそれぞれにパイプが貫通するリング状物体Ｒａ、Ｒｃが嵌められており、リング状物体Ｒａには、パイプＡに沿ってお互い反対方向の２方向にワイヤロープＷａｕ、Ｗａｄが繋がれており、更にもう一つワイヤロープ、棒、板、あるいはシート状の物Ｗａｃも繋がれており、リング状物体Ｒｃには、パイプＣに沿ってお互い反対方向の２方向にワイヤロープＷｃｕ、Ｗｃｄが繋がれており、リング状物体Ｒａから出ているワイヤロープ、棒、板、あるいはシート状の物Ｗａｃも繋がれている構成の装置が積雪した傾斜屋根面上に置かれ、ＷａｕとＷｃｕが平行して同時に、又はＷａｄとＷｃｄが平行して同時に人力、又はモーター動力で引っ張られる事によりワイヤロープ、棒、板、あるいはシート状の物Ｗａｃが積雪を切り崩す、あるいは払い落とす雪下ろし装置とすれば従来からの課題を解決する事ができる。
【０００５】また請求項２に記したように、少なくとも１本がパイプＡで構成されパイプＡの両端がジョイントで繋がれた３角形、又は４角形のパイプ組立においてパイプＡが貫通しているリング状物体Ｒａが嵌められており、リング状物体Ｒａには、パイプＡに沿ってお互い反対方向の２方向にワイヤロープＷａｕ、Ｗａｄが繋がれており、さらにもう一つワイヤロープ、棒、板、あるいはシート状の物Ｗａｃも繋がれており、Ｗａｃが棒、板、あるいはシート状の物の場合はワイヤロープに繋がれ、そのワイヤロープがパイプＡ以外のパイプＣを貫通させているリング状物体Ｒｃが存在する時はＲｃの中を貫通した後に、ワイヤロープの先に錘、又は巻き取り装置に繋ぐ事によりＷａｃに張力をかけられ、Ｒｃが無い時は滑車、又はサポータを滑らせたのちワイヤロープの先に錘、又は巻き取り装置に繋がれＷａｃに張力をかけられた装置が積雪した傾斜屋根面上に置かれ、Ｗａｕ、あるいはＷａｄを引っ張ることにより積雪をＷａｃで切り崩す、又は払い落とす構造の雪下ろし装置とすれば従来からの課題を解決する事ができる。
【発明の効果】
【０００６】本発明の装置を一度屋根の上に載せれば、積雪の時、作業者が屋根の上に上がらないでワイヤロープＷａｕ、またはＷａｄ、やＷｃｕ、またはＷｃｄの延長を地上で人力で引っ張ることが出来、人力の代わりにモーターで引っ張る事も出来、安全で、安価な雪下ろし装置にする事ができる。
また屋根に乗る構造体はパイプとワイヤロープのシンプルなもので屋根補強等余分な制約条件の発生もなく、美的外観も大きく損なわれない。
【発明を実施する為の最良の形態】
【実施例】
【０００７】以下、本発明に付いて下記する図を使って実施例を説明する。
図１は本発明のリング状物体ＲａがパイプＡを中に通し、３方向へのワイヤロープがつながれている状態を示す図である。
図２は本発明の長方形のパイプ組立の対辺の２本のパイプ個々にリング状物体が嵌められ、それぞれのリング状物体からパイプに沿って相反する方向にワイヤロープが出ていると同時にリング状物体がワイヤロープで繋がれている図。
図３は本発明のパイプ組立が切り妻屋根の両斜面上に設置された例を示す図である。
図４は本発明の長方形のパイプ組立の対辺の２本のパイプ個々にリング状物体がはめられ、その一つのリング状物体に繋がれたワイヤロープがもう一つのリング状物体を貫通しその延長が貫通前のワイヤロープを貫通させているに円筒形錘が繋がれている例を示す図である。
図５は本発明のパイプ組立が方形屋根の４斜面上に設置された例を示す図である。
図６は本発明の長方形のパイプ組立の対辺の２本のパイプ個々にリング状物体が嵌められ、パイプに沿った相反する方向にそれぞれのリング状物体からワイヤロープが出ているのに加え、さらにもう一本ワイヤロープＷａｃが一方のリング状物体に繋げられたのち他方のリング状物体を貫通したあと方向転換滑車、又はサポートを介し錘につながれている例を示す図である。【０００８】例えば請求項１の実施例として、図２に示す４角形の４本のパイプがジョイント；１２で繋がれたパイプ組立が屋根の一つの傾斜面に合わせた長方形の屋根傾斜面に載せられた例では上端の水平パイプＡ；１と下端の水平パイプＣ；１１にそれぞれリング状物体Ｒａ；２、Ｒｃ；１７が嵌められ、それぞれのパイプに沿った相反する方向にＲａ；２にはワイヤロープＷａｕ；４、Ｗａｄ；５が、ＲｃにはワイヤロープＷｃｕ；６、Ｗｃｄ；７が繋がれていると同時に、ワイヤロープＷａｃ；３がＲａ；２とＲｃ；１７を繋いでいる。
リング状物体Ｒａ；２周りを拡大して示す図が図１である。
図２のＷａｕ；４とＷｃｕ；６を同時に人力、又はモーターで引っ張ったり、Ｗａｄ；５とＷｃｄ；７を同時に人力、又はモーターで引っ張る事により、積雪した傾斜屋根の上に設置されている時ワイヤロープＷａｃ；３によってＷａｃ；３より高い積雪部分を切り崩す、あるいは払い落とすことの出来る雪下ろし装置となる。さらにこの応用例として図３のように切り妻屋根の両傾斜面に図２に示すような長方形に組まれたパイプ組立を載せた形で上端の水平パイプＡ；１、及びリング状物体Ｒａ；２を両斜面に共通に使用するとし、図３の裏側の別斜面の下端の水平パイプＣ’；２０に嵌められているリング状物体に繋がれたパイプＣ’に沿ってお互い反対方向に繋がれたワイヤロープ、およびリング状物体Ｒａ；２に繋がるワイヤロープを具備し、裏側の別斜面のリング状物体と正面斜面のリング状物体Ｒｃ；１７とリング状物体Ｒａ；２を同時にパイプに沿った同じ方向に引っ張れば、両斜面とも、リング状物体Ｒａと別斜面のパイプＣ’が貫通しているリング状物体を繋いでいるワイヤロープによって積雪を切り崩す事ができる。
図３はワイヤ巻き取りモータ；１５一台で全作業を行う事を目的とした図でそこに使用されるモータを正回転、逆回転可能なモータを図３の右方向に配置した時は、図の左方向にＷａｃ；３を動かすためには図３の左端に方向転換滑車、またはサポート；１４を配置し、ワイヤロープＷａｕのＵターンワイヤ；８、ワイヤロープＷｃｕのＵターンワイヤ；９等をす３の右に配置されている方向転換滑車、又はサポート；１４を介し、ワイヤ巻き取りモータ；１５、ワイヤ巻き取り軸；１６で巻き取る事ができる。
図の右方向にＷａｃ；３を動かしたい場合は図３の右に配置されている方向転換滑車、又はサポート；１４を介し、ワイヤ巻き取りモータ；１５に連結されたワイヤ巻き取り軸１６に巻きつけてゆけばよい。
ほぼ同じスピードでワイヤロープを巻きつけてゆき、ワイヤロープＷａｃ及び裏側のＷａｃに相当するワイヤロープにより、両斜面とも積雪を切り崩す事ができる。【０００９】請求項２の実施例に付いて以下に説明する。
積雪した屋根の上に置かれた少なくとも１本がパイプＡで構成されパイプＡの両端がジョイントで繋がれた３角形、又は４角形のパイプ組立においてパイプＡにはパイプＡが貫通しているリング状物体Ｒａが嵌められており、リング状物体Ｒａには、パイプＡに沿ってお互い反対方向の２方向にワイヤロープＷａｕ、Ｗａｄが繋がれており、さらにもう一つワイヤロープＷａｃ；３も繋がれており、図４に示すようにパイプＣ；１１を貫通させているリング状物体Ｒｃ；１７の中を貫通し、Ｗａｃ；３を貫通している円筒形錘；１９につながれるか、図６に示すように方向転換滑車、又はサポート；１４を介し錘１３に繋ぐ事によりＷａｃに張力をかけ、ＷａｕとＷｃｕを同時に引っ張るか、ＷａｄとＷｃｄを同時に引っ張ることにより積雪をＷａｃで切り崩す、又は払い落とす構造の雪下ろし装置とすることが出来る。【００１０】以上の説明の本発明の応用動作で各種の屋根の形の雪下ろしが可能であるが、応用動作の一例として本発明を利用して、方形屋根に積雪する雪を切り崩す例を図５を用いて説明する。
一つの屋根面は３角形となるため、その面にあわせパイプ組立としては３角形に組まれ、水平な下端の４本のパイプＡ以外は隣接する３角形のパイプと共通に組む。
頂点では方向転換滑車又はサポート；１４近傍で４本のパイプが固定され、３角形の底辺の両端は計３本のパイプが４箇所ジョイント；１２で固定され、４本の下端の水平パイプＡには全てリング状物体Ｒａ；２が嵌められており、全てパイプに沿った相反する方向にワイヤロープＷａｕとＷａｄと方形屋根頂点の方向転換滑車、またはサポート；１４に向かうワイヤロープＷａｃ；３が繋がれている。
ＷａｕとＷａｄは一本のワイヤロープで方形屋根の下端を一周する形にしてワイヤ巻き取りモータ；１５によって回転するワイヤ巻き取り軸；１６に繋がれ、ワイヤ巻き取りモータ；１５の回転方向でワイヤロープＷａｃ；３をどちらの方向にも動かす事が出来Ｗａｃ；３により積雪は切り崩す事ができる。Ｗａｃ；３は４本とも頂上近傍に配置されている方向転換滑車、又はサポート；１４でまとめられ、屋根の袖近傍のもう一つの方向転換滑車、又はサポート；１４を介し錘；１３に繋がれている。
【産業上の利用の可能性】
【００１４】自明ゆえ説明は省略
【図面の簡単な説明】
【図１】本発明のリング状物体ＲａがパイプＡを中に通し、３方向へのワイヤロープがつながれている状態を示す図。
【図２】本発明の長方形のパイプ組立の対辺の２本のパイプ個々にリング状物体が嵌められ、それぞれのリング状物体からパイプに沿って相反する方向にワイヤロープが出ていると同時にリング状物体がワイヤロープで繋がれている図。
【図３】本発明のパイプ組立が切り妻屋根の両斜面上に設置された例を示す図。
【図４】本発明の長方形のパイプ組立の対辺の２本のパイプ個々にリング状物体がはめられ、その一つのリング状物体に繋がれたワイヤロープがもう一つのリング状物体を貫通しその延長が貫通前のワイヤロープを貫通させているに円筒形錘が繋がれている例を示す図。
【図５】本発明のパイプ組立が方形屋根の４斜面上に設置された例を示す図。
【図６】本発明の長方形のパイプ組立の対辺の２本のパイプ個々にリング状物体が嵌められ、パイプに沿った相反する方向にそれぞれのリング状物体からワイヤロープが出ているのに加え、さらにもう一本ワイヤロープＷａｃが一方のリング状物体に繋げられたのち他方のリング状物体を貫通したあと方向転換滑車、又はサポートを介し錘につながれている例を示す図。
【符号の説明】１  パイプＡ
２  リング状物体Ｒａ
３  ワイヤロープＷａｃ
４  ワイヤロープＷａｕ
５  ワイヤロープＷａｄ
６  ワイヤロープＷｃｕ
７  ワイヤロープＷｃｄ
６  ワイヤロープＷｃｕ
７  ワイヤロープＷｃｄ
８  ワイヤロープＷａｕのＵターンワイヤ
９  ワイヤロープＷｃｕのＵターンワイヤ
１０  屋根面
１１  パイプＣ
１２  ジョイント
１３  錘
１４  方向転換滑車、又はサポート
１５  ワイヤ巻き取りモータ
１６  ワイヤ巻き取り軸
１７  リング状物体Ｒｃ
１８  パイプ構造体落下防止補強パイプ
１９  円筒形錘
２０  別斜面の下端水平パイプＣ’
【図１】
2014047620.tif 000003
【図２】
2014047620.tif 000004
【図３】
2014047620.tif 000005
【図４】
2014047620.tif 000006
【図５】
2014047620.tif 000007
【図６】
2014047620.tif 000008
【手続補正書】
【提出日】平成24年11月2日(2012.11.2)
【手続補正１】
【補正対象書類名】特許請求の範囲
【補正対象項目名】全文
【補正方法】変更
【補正の内容】
【特許請求の範囲】
【請求項１】
平行するパイプＡ、又はワイヤロープＡとパイプＣ、又はワイヤロープＣを有す構造体において、平行するパイプ、又はワイヤロープはそれぞれにパイプ、又はワイヤロープが貫通するリング状物体Ｒａ、Ｒｃが嵌められており、リング状物体Ｒａには、パイプＡ、又はワイヤロープＡに沿ってお互い反対方向の２方向にワイヤロープＷａｕ、Ｗａｄが繋がれており、更にもう一つワイヤロープ、棒、板、あるいはシート状の長尺物Ｗａｃも繋がれており、リング状物体Ｒｃには、パイプＣ、又はワイヤロープＣに沿ってお互い反対方向の２方向にワイヤロープＷｃｕ、Ｗｃｄが繋がれており、更にリング状物体Ｒａから出ているワイヤロープ、棒、板、あるいはシート状の長尺物Ｗａｃも繋がれている構成の装置が積雪した傾斜屋根面上に置かれ、ＷａｕとＷｃｕ、又はＷａｄとＷｃｄが平行して人力、又はモーター動力で引っ張られる事によりワイヤロープ、棒、板、あるいはシート状の長尺物Ｗａｃが積雪を切り崩す、あるいは払い落とす雪下ろし装置。
【請求項２】
少なくとも１本がパイプＡ、又はワイヤロープＡの両端が固定された構造体においてパイプＡ、又はワイヤロープＡにはパイプＡ、又はワイヤロープＡが貫通しているリング状物体Ｒａが嵌められており、リング状物体Ｒａには、パイプＡ、又はワイヤロープＡに沿ってお互い反対方向の２方向にワイヤロープＷａｕ、Ｗａｄが繋がれており、さらにもう一つワイヤロープ、棒、板、あるいはシート状の長尺物Ｗａｃも繋がれており、Ｗａｃが棒、板、あるいはシート状の長尺物の場合は端部にワイヤロープに繋がれ、そのワイヤロープがパイプＡ以外のパイプＣを貫通させているリング状物体Ｒｃが存在する時はＲｃの中を貫通した後に、ワイヤロープの先に錘、バネ、又は巻き取り装置等張力を出せる物をに繋ぐ事によりＷａｃに張力をかけられ、Ｒｃが無い時はワイヤロープを滑車、又はサポータを滑らせたのちワイヤロープの先に錘、バネ、又は巻き取り装置等に繋がれＷａｃに張力をかけられた装置が積雪した傾斜屋根面上に置かれ、Ｗａｕ、あるいはＷａｄを引っ張ることにより積雪をＷａｃで切り崩す、又は払い落とす構造の雪下ろし装置。
【手続補正２】
【補正対象書類名】明細書
【補正対象項目名】０００４
【補正方法】変更
【補正の内容】
【０００４】前述の請求項１に記したように、平行するパイプＡ、又はワイヤロープＡとパイプＣ、又はワイヤロープＣを有す構造体において、平行するパイプ、又はワイヤロープはそれぞれにパイプ、又はワイヤロープが貫通するリング状物体Ｒａ、Ｒｃが嵌められており、リング状物体Ｒａには、パイプＡ、又はワイヤロープＡに沿ってお互い反対方向の２方向にワイヤロープＷａｕ、Ｗａｄが繋がれており、更にもう一つワイヤロープ、棒、板、あるいはシート状の長尺物Ｗａｃも繋がれており、リング状物体Ｒｃには、パイプＣ、又はワイヤロープＣに沿ってお互い反対方向の２方向にワイヤロープＷｃｕ、Ｗｃｄが繋がれており、更にリング状物体ｈａから出ているワイヤロープ、棒、板、あるいはシート状の長尺物Ｗａｃも繋がれている構成の装置が積雪した傾斜屋根面上に置かれ、ＷａｕとＷｃｕ、又はＷａｄとＷｃｄが平行して人力、又はモーター動力で引っ張られる事によりワイヤロープ、棒、板、あるいはシート状の長尺物Ｗａｃが積雪を切り崩す、あるいは払い落とす雪下ろし装置とすれば従来からの課題を解決する事ができる。
【手続補正３】
【補正対象書類名】明細書
【補正対象項目名】０００５
【補正方法】変更
【補正の内容】
【０００５】また請求項２に記したように、少なくとも１本がパイプＡ、又はワイヤロープＡの両端が固定された構造体においてパイプＡ、又はワイヤロープＡにはパイプＡ、又はワイヤロープＡが貫通しているリング状物体Ｒａが嵌められており、リング状物体Ｒａには、パイプＡ、又はワイヤロープＡに沿ってお互い反対方向の２方向にワイヤロープＷａｕ、Ｗａｄが繋がれており、さらにもう一つワイヤロープ、棒、板、あるいはシート状の長尺物Ｗａｃも繋がれており、Ｗａｃが棒、板、あるいはシート状の長尺物の場合は端部がワイヤロープに繋がれ、そのワイヤロープがパイプＡ、又はワイヤロープＡ以外のパイプＣ、又はワイヤロープＣを貫通させているリング状物体Ｒｃが存在する時はＲｃの中を貫通した後に、ワイヤロープの先に錘、又は巻き取り装置等張力を出せる物を繋ぐ事によりＷａｃに張力をかけ、Ｒｃが無い時は滑車、又はサポータでワイヤロープを滑らせたのちワイヤロープの先に錘、バネ、又は巻き取り装置等、Ｗａｃに張力をかけられた装置が積雪した傾斜屋根面上に置かれ、Ｗａｕ、あるいはＷａｄを引っ張ることにより積雪をＷａｃで切り崩す、又は払い落とす構造の雪下ろし装置とすれば従来からの課題を解決する事ができる。